(57)【要約】【課題】簡単かつ確実に、情報を転送できるようにする。【解決手段】携帯電話機１１がパーソナルコンピュータ１の入力表示部２に載置されたとき、携帯電話機１１に内蔵されているRFタグに記憶されている携帯電話機１１の電話番号が、パーソナルコンピュータ１に内蔵されているリーダライタにより読み取られる。その電話番号に基づいて、携帯電話機１１とパーソナルコンピュータ１との間において、電話回線が閉結される。そして、その電話回線を介して携帯電話機１１と、パーソナルコンピュータ１との間において、データが授受される。【選択図】図１
2011193474.tif 000002
【特許請求の範囲】
【請求項１】
電子機器の送信部と第１の通信を行い、前記電子機器のネットワーク上の識別情報を前記送信部から取得する取得部と、
前記取得部により取得された前記識別情報に基づいて前記電子機器を検索し、検索した前記電子機器との間で、前記識別情報を用いることによって前記ネットワーク上の前記第２の通信を確立し、前記第２の通信を介して情報の送受信を行う通信部と
を備える情報処理装置。
【請求項２】
前記取得部は、前記識別情報の送信を要求し、要求に対する応答として前記電子機器の前記送信部から送信された前記識別情報を取得する
請求項１に記載の情報処理装置。
【請求項３】
前記取得部は、電波を用いて信号を送信し、前記信号を受信できる状態になった前記電子機器の前記送信部から前記識別情報を取得する
請求項１または２に記載の情報処理装置。
【請求項４】
前記第１の通信は近接通信である
請求項１乃至３のいずれかに記載の情報処理装置。
【請求項５】
前記ネットワークは、ブルートゥース通信によるネットワーク、無線LAN、WAN、またはインターネットである
請求項１乃至４のいずれかに記載の情報処理装置。
【請求項６】
前記識別情報には前記第２の通信に関する前記電子機器のアドレスが含まれる
請求項１乃至５のいずれかに記載の情報処理装置。
【請求項７】
表示部をさらに備え、
前記取得部は、前記電子機器が表示部に置かれたとき、または前記表示部に近づけられたとき、前記識別情報を前記電子機器の前記送信部から取得する
請求項１乃至６のいずれかに記載の情報処理装置。
【請求項８】
前記通信部は、前記第２の通信を介して、前記電子機器からコンテンツを受信し、
前記通信部により受信された前記コンテンツの前記表示部における表示位置を、前記電子機器が置かれた、または近づけられた前記表示部の位置に応じて制御する制御部をさらに備える
請求項７に記載の情報処理装置。
【請求項９】
前記表示部は、前記第２の通信が確立されたときに前記電子機器を表す情報を表示する
請求項７または８に記載の情報処理装置。
【請求項１０】
情報処理装置と第１の通信を行い、ネットワーク上の自身の識別情報を前記情報処理装置に送信する送信部と、
前記識別情報に基づいて前記情報処理装置により検索が行われ、前記情報処理装置において自身が検索されたとき、前記識別情報を用いることによって前記情報処理装置との間で前記ネットワーク上の第２の通信を確立し、前記第２の通信を介して情報の送受信を行う通信部と
を備える電子機器。
【請求項１１】
前記送信部は、前記識別情報の送信が前記情報処理装置から要求された場合、要求に対する応答として前記識別情報を送信する
請求項１０に記載の電子機器。
【請求項１２】
前記送信部はRFタグであり、前記情報処理装置が電波を用いて出力する信号を受信できる状態になったとき、前記識別情報を送信する
請求項１０または１１に記載の電子機器。
【請求項１３】
前記第１の通信は近接通信である
請求項１０乃至１２のいずれかに記載の電子機器。
【請求項１４】
前記ネットワークは、ブルートゥース通信によるネットワーク、無線LAN、WAN、またはインターネットである
請求項１０乃至１３のいずれかに記載の電子機器。
【請求項１５】
前記識別情報には前記第２の通信に関する前記電子機器のアドレスが含まれる
請求項１０乃至１４のいずれかに記載の電子機器。
【請求項１６】
前記電子機器は携帯電話機である
請求項１０乃至１５のいずれかに記載の電子機器。
【請求項１７】
前記情報処理装置はオーディオ信号を処理する機能を有し、
前記通信部は、通話を行っているユーザの音声の前記オーディオ信号を前記情報処理装置に送信する
請求項１６に記載の電子機器。
【請求項１８】
前記情報処理装置はオーディオ信号を処理する機能を有し、
前記通信部は、音楽の前記オーディオ信号を前記情報処理装置に送信する
請求項１０乃至１７のいずれかに記載の電子機器。
【請求項１９】
前記識別情報を記憶する記憶部を、前記通信部の位置と異なる位置にさらに備え、
前記送信部は、前記記憶部に記憶されている前記識別情報を送信する
請求項１０乃至１８のいずれかに記載の電子機器。
【発明の詳細な説明】
【技術分野】
【０００１】
本技術は、情報処理装置および電子機器に関し、特に、簡単に複数の装置の間の通信を確立することができるようにした情報処理装置および電子機器に関する。
【背景技術】
【０００２】
最近、携帯電話機やPDA（Personal Digital Assistant）等が急速に普及してきた。その結果、各ユーザは、複数のこれらの機器の間において、情報を交換する機会が多くなってきている。
【０００３】
従来、このような情報交換を行う場合、機器をクレードルやケーブルを介して相互に接続したり、赤外線送受信部を相互に対面させて送受信させるようにしていた。
【発明の概要】
【発明が解決しようとする課題】
【０００４】
しかしながら、有線の接続は、煩雑であるばかりでなく、それぞれの機種にあったコネクタを用意しなければならず、不便であった。
【０００５】
また、赤外線を利用する場合、赤外線の伝送路をユーザが不用意に通過する等して、遮ってしまうと、通信が遮断されてしまう課題があった。
【０００６】
そこで、無線LAN（Local Area Network）やブルートゥース（商標）に代表される近接無線LAN等によって、複数の機器間で、無線で通信を行うことが提案されている。
【０００７】
しかしながら、無線で通信を行う場合、通信を行う機器のアドレスをユーザが入力しなければならず、通常、ユーザは、各機器のアドレスを記憶しているわけではないので、アドレス表などを予め作成しておき、それを参照してアドレスを手動入力するようにしている。その結果、操作性が悪く、不便であった。このため、例えば、ユーザが持っているPDAと、ユーザの目の前に設置されている機器との間で情報を交換するような場合にも、相手側の機器のアドレスを入力しなければならず、迅速な情報の交換が困難となる課題があった。
【０００８】
本技術は、このような状況に鑑みてなされたものであり、簡単に複数の装置の間の通信を確立することができるようにするものである。
【課題を解決するための手段】
【０００９】
本技術の一側面の情報処理装置は、電子機器の送信部と第１の通信を行い、前記電子機器のネットワーク上の識別情報を前記送信部から取得する取得部と、前記取得部により取得された前記識別情報に基づいて前記電子機器を検索し、検索した前記電子機器との間で、前記識別情報を用いることによって前記ネットワーク上の前記第２の通信を確立し、前記第２の通信を介して情報の送受信を行う通信部とを備える。
【００１０】
前記取得部には、前記識別情報の送信を要求させ、要求に対する応答として前記電子機器の前記送信部から送信された前記識別情報を取得させることができる。
【００１１】
前記取得部には、電波を用いて信号を送信させ、前記信号を受信できる状態になった前記電子機器の前記送信部から前記識別情報を取得させることができる。
【００１２】
前記第１の通信は近接通信であるようにすることができる。
【００１３】
前記ネットワークは、ブルートゥース通信によるネットワーク、無線LAN、WAN、またはインターネットであるようにすることができる。
【００１４】
前記識別情報には前記第２の通信に関する前記電子機器のアドレスが含まれるようにすることができる。
【００１５】
表示部をさらに設けることができる。この場合、前記取得部には、前記電子機器が表示部に置かれたとき、または前記表示部に近づけられたとき、前記識別情報を前記電子機器の前記送信部から取得させることができる。
【００１６】
前記通信部には、前記第２の通信を介して、前記電子機器からコンテンツを受信させ、前記通信部により受信された前記コンテンツの前記表示部における表示位置を、前記電子機器が置かれた、または近づけられた前記表示部の位置に応じて制御する制御部をさらに設けることができる。
【００１７】
前記表示部には、前記第２の通信が確立されたときに前記電子機器を表す情報を表示させることができる。
【００１８】
本技術の他の側面の電子機器は、情報処理装置と第１の通信を行い、ネットワーク上の自身の識別情報を前記情報処理装置に送信する送信部と、前記識別情報に基づいて前記情報処理装置により検索が行われ、前記情報処理装置において自身が検索されたとき、前記識別情報を用いることによって前記情報処理装置との間で前記ネットワーク上の第２の通信を確立し、前記第２の通信を介して情報の送受信を行う通信部とを備える。
【００１９】
前記送信部には、前記識別情報の送信が前記情報処理装置から要求された場合、要求に対する応答として前記識別情報を送信させることができる。
【００２０】
前記送信部はRFタグであり、前記情報処理装置が電波を用いて出力する信号を受信できる状態になったとき、前記識別情報を送信するようにすることができる。
【００２１】
前記第１の通信は近接通信であるようにすることができる。
【００２２】
前記ネットワークは、ブルートゥース通信によるネットワーク、無線LAN、WAN、またはインターネットであるようにすることができる。
【００２３】
前記識別情報には前記第２の通信に関する前記電子機器のアドレスが含まれるようにすることができる。
【００２４】
前記電子機器は携帯電話機であるようにすることができる。
【００２５】
前記情報処理装置はオーディオ信号を処理する機能を有し、前記通信部には、通話を行っているユーザの音声の前記オーディオ信号を前記情報処理装置に送信させることができる。
【００２６】
前記情報処理装置はオーディオ信号を処理する機能を有し、前記通信部には、音楽の前記オーディオ信号を前記情報処理装置に送信させることができる。
【００２７】
前記識別情報を記憶する記憶部を、前記通信部の位置と異なる位置にさらに設けることができる。この場合、前記送信部には、前記記憶部に記憶されている前記識別情報を送信させることができる。
【００２８】
本技術の一側面においては、電子機器の送信部と第１の通信が行われ、前記電子機器のネットワーク上の識別情報が前記送信部から取得され、前記取得部により取得された前記識別情報に基づいて前記電子機器が検索され、検索した前記電子機器との間で、前記識別情報を用いることによって前記ネットワーク上の前記第２の通信が確立され、前記第２の通信を介して情報の送受信が行われる。
【００２９】
本技術の他の側面においては、情報処理装置と第１の通信が行われ、ネットワーク上の自身の識別情報が前記情報処理装置に送信され、前記識別情報に基づいて前記情報処理装置により検索が行われ、前記情報処理装置において自身が検索されたとき、前記識別情報を用いることによって前記情報処理装置との間で前記ネットワーク上の第２の通信が確立され、前記第２の通信を介して情報の送受信が行われる。
【発明の効果】
【００３０】
本技術によれば、簡単に複数の装置の間の通信を確立することができる。
【図面の簡単な説明】
【００３１】
【図１】本発明を適用した情報処理システムの構成例を示す図である。
【図２】図１のパーソナルコンピュータの構成例を示すブロック図である。
【図３】図１の携帯電話機の構成例を示すブロック図である。
【図４】図１の情報処理システムにおけるパーソナルコンピュータの処理を説明するフローチャートである。
【図５】図１の情報処理システムにおける携帯電話機の処理を説明するフローチャートである。
【図６】図１の情報処理システムにおけるパーソナルコンピュータの処理を説明するである。
【図７】図１の情報処理システムにおける携帯電話機の処理を説明するフローチャートである。
【図８】携帯電話機とパーソナルコンピュータの間のデータの授受を説明する図である。
【図９】図８の例における携帯電話機の処理を説明するフローチャートである。
【図１０】図８の例におけるパーソナルコンピュータの処理を説明するフローチャートである。
【図１１】PDAとパーソナルコンピュータのデータの授受の例を示す図である。
【図１２】図１１のPDAの構成例を示すブロック図である。
【図１３】図１１の例におけるPDAの処理を説明するフローチャートである。
【図１４】図１１の例におけるパーソナルコンピュータの動作を説明するフローチャートである。
【図１５】携帯電話機とパーソナルコンピュータの間において、情報を転送する例を示す図である。
【図１６】図１５の例のパーソナルコンピュータの動作を説明するフローチャートである。
【図１７】図１５の例の携帯電話機の動作を説明するフローチャートである。
【図１８】コネクションボードの例を示す図である。
【図１９】図１８のコネクションボードの構成例を示すブロック図である。
【図２０】図１８のデジタルカメラの構成例を示すブロック図である。
【図２１】図１８の例におけるコネクションボードの処理を説明するフローチャートである。
【図２２】図１８の例におけるPDAの処理を説明するフローチャートである。
【図２３】図１８の例におけるデジタルカメラの処理を説明するフローチャートである。
【図２４】携帯電話機とヘッドホンのデータの授受の例を示す図である。
【図２５】図２４のヘッドホンの構成例を示すブロック図である。
【図２６】図２４の携帯電話機の構成例を示すブロック図である。
【図２７】図２４の携帯電話機の動作を説明するフローチャートである。
【図２８】図２４のヘッドホンの動作を説明するフローチャートである。
【図２９】人体の伝達特性の例を示す図である。
【図３０】電界強度とアンテナの距離との関係を説明する特性図である。
【図３１】本発明を適用した通信システムにおけるパーソナルコンピュータの構成例を示すブロック図である。
【図３２】本発明を適用した通信システムにおける携帯電話機の構成例を示すブロック図である。
【図３３】本発明を適用した通信システムの処理を説明するフローチャートである。
【発明を実施するための形態】
【００３２】
図１は、本発明を適用した情報処理システムの構成例を表している。この構成例においては、パーソナルコンピュータ１が、入力表示部２と、それに接続されている本体３を有している。入力表示部２には、所定の情報が表示されるとともに、図示せぬペン等をその上で操作することで、所定の情報を入力することができるようになされている。
【００３３】
また、入力表示部２には、ユーザは、必要に応じて、例えば、携帯電話機１１を載置することで、携帯電話機１１とパーソナルコンピュータ１との間でデータを授受することができるようになされている。
【００３４】
図２は、パーソナルコンピュータ１の構成例を表している。CPU（Central Processing Unit）２１は、ROM（Read Only Memory）２２、または記憶部２６に記憶されているプログラムに従って、各種の処理を実行する。RAM２３には、CPU２１が実行するプログラムやデータ等が適宜記憶される。CPU２１、ROM２２、およびROM２３は、バス２４を介して相互に接続されている。バス２４にはまた、入出力インタフェース２５が接続されている。入出力インタフェース２５には、入力表示部２の他、ハードディスク等で構成される記憶部２６、例えば、電話回線を介して携帯電話機１１と通信する通信部２７が接続されている。
【００３５】
入力表示部２には、ユーザのペンの操作を検知する透明なタブレット３１、並びにタブレット３１の下側に配置され、文字、図形等の画像を表示するLCD３２が設けられている。入力表示部２には、さらに、携帯電話機１１が有するRFタグ７２（図３）と通信するリーダライタ３３が設けられている。
【００３６】
入出力インタフェース２５には、さらに、ドライブ２８が接続されており、このドライブ２８には、磁気ディスク４１、光ディスク４２、光磁気ディスク４３、または半導体メモリ４４等が、適宜装着できるようになされている。これらの磁気ディスク４１乃至半導体メモリ４４より読み出されたプログラムは、ドライブ２８から入出力インタフェース２５を介して、記憶部２６に供給される。
【００３７】
図３は、携帯電話機１１の構成例を表している。CPU６１乃至入出力インタフェース６５は、図２のパーソナルコンピュータ１のCPU２１乃至入出力インタフェース２５と基本的に同様の機能を有するものであるので、その説明は省略する。
【００３８】
携帯電話機１１においては、入出力インタフェース６５に各種のボタンやスイッチ等により構成される入力部６６が接続されているとともに、所定の情報を表示するためのLCD（Liquid Crystal Display）６７が接続されている。入出力インタフェース６５には、さらに、半導体メモリ等で構成される記憶部６８と、電話回線を介して通信を行う通信部６９が接続されている。
【００３９】
マイクロホン７０は、ユーザの音声信号を取り込み、スピーカ７１は、ユーザに対して音声信号を出力する。RFタグ７２は、内部にICを有し、パーソナルコンピュータ１のリーダライタ３３と通信し、内部に記憶している携帯電話機１１の識別番号をリーダライタ３３に送信する。また、RFタグ７２は、リーダライタ３３から供給されたデータを、内蔵するメモリに記憶する機能を有している。
【００４０】
次に図４と図５のフローチャートを参照して、パーソナルコンピュータ１と携帯電話機１１の動作について説明する。ユーザは、携帯電話機１１とパーソナルコンピュータ１との間において、データを授受する等の処理を行いたいと思うとき、携帯電話機１１を入力表示部２の所定の位置（図１において、点線で示すリーダライタ３３が配置されている位置）に載置する。また、ユーザは、携帯電話機１１を必ずしも載置する必要はなく、入力表示部２の所定の位置に近接させ（近づけ）、リーダライタ３３からの電磁波を携帯電話機１１において受信できるようにすればよい。
【００４１】
リーダライタ３３は、充分短い周期で定期的に電磁波を送信しており、携帯電話機１１が入力表示部２上に（リーダライタ３３の上に）載置されると、リーダライタ３３と携帯電話機１１のRFタグ７２の電磁結合により、リーダライタ３３が内蔵するアンテナの等価的なインピーダースが変化する。リーダライタ３３は、図４のステップＳ１において、このインピーダースの変化をモニタすることで、携帯電話機１１が載置、または近接されたか否かを判定し、載置等されるまで待機する。
【００４２】
携帯電話機１１がリーダライタ３３上に載置、または近接されたとき、リーダライタ３３は、ステップＳ２において、携帯電話機１１に対して、ネットワーク上のアドレスの送信を要求する。いまの場合、ネットワークは、公衆電話回線により構成されるので、リーダライタ３３は、携帯電話機１１の電話番号の送信を要求する。
【００４３】
この要求に基づいて、後述するように、携帯電話機１１からネットワーク上のアドレス（電話番号）が送信されてくるので、ステップＳ３において、リーダライタ３３は、携帯電話機１１からネットワーク上のアドレスを受信するまで待機し、受信したとき、ステップＳ４に進み、受信した携帯電話機１１のネットワーク上のアドレス（電話番号）をCPU２１に供給する。CPU２１は、この電話番号をRAM２３に供給し、記憶させる。
【００４４】
次に、ステップＳ５において、CPU２１は、通信部２７を制御し、ステップＳ４で記憶された携帯電話機１１のネットワーク上のアドレスにアクセスさせ、ネットワーク上のコネクションを確立させる。具体的には、通信部２７からRAM２３に記憶された電話番号に対する発呼動作が行われ、パーソナルコンピュータ１と携帯電話機１１との間において、電話回線が閉結される。
【００４５】
その後、ステップＳ６において、パーソナルコンピュータ１は、ネットワークを介して携帯電話機１１との間において、所定の処理を実行する。この処理の具体例については後述する。
【００４６】
一方、携帯電話機１１のRFタグ７２は、図５のステップＳ１１において、パーソナルコンピュータ１のリーダライタ３３からの電磁波を受信したか否かを判定する（パーソナルコンピュータ１の入力表示部２の上に載置、または近接されたか否かを判定する）。携帯電話機１１が、入力表示部２の上に載置、または近接されたと判定された場合、ステップＳ１２に進み、RFタグ７２は、ネットワーク上のアドレスの送信が要求されるまで待機する。上述したように、パーソナルコンピュータ１のリーダライタ３３は、ステップＳ２において、携帯電話機１１に対してネットワーク上のアドレスの送信を要求してくるので、この送信の要求を受けたと判定された場合、ステップＳ１３に進み、RFタグ７２は、内部のメモリに記憶されている携帯電話機１１のネットワーク上のアドレス（いまの場合、電話番号）を読み出し、リーダライタ３３に送信する。
【００４７】
なお、ネットワーク上のアドレスは、ROM６２や、記憶部６８に記憶させておくこともできる。この場合、CPU６１によりそれらから読み出されたアドレスが、RFタグ７２から送信される。
【００４８】
ステップＳ１４において、携帯電話機１１のCPU６１は、通信部６９を介してパーソナルコンピュータ１からネットワークを介してアクセスを受けるまで待機する（いまの場合、電話回線を介して読み出されるまで待機する）。
【００４９】
通信部６９は、ステップＳ１４において、パーソナルコンピュータ１の通信部２７から電話回線を介して呼び出しを受けたと判定した場合、ステップＳ１５に進み、これに応答し、パーソナルコンピュータ１との間にネットワークを介してコネクションを確立する（いまの場合、電話回線を閉結する）。
【００５０】
その後、ステップＳ１６に進み、携帯電話機１１は、ネットワークを介してパーソナルコンピュータ１との間において、所定の処理を実行する。この処理は、図４のステップＳ６の処理に対応する。
【００５１】
以上の例においては、識別情報として、携帯電話機１１の電話番号を送受するようにしたが、携帯電話機１１の電話番号以外の識別番号を携帯電話機１１からパーソナルコンピュータ１に送信し、パーソナルコンピュータ１側において、その識別番号に基づいて、ネットワーク上のアドレスとしての携帯電話機１１の電話番号を検索するようにしても良い。
【００５２】
図６と図７は、この場合のパーソナルコンピュータ１と携帯電話機１１のそれぞれの動作を表している。
【００５３】
図７の携帯電話機１１のステップＳ５１乃至ステップＳ５６の処理は、図５のステップＳ１１乃至ステップＳ１６の処理と基本的に同様の処理であり、ステップＳ５２で、パーソナルコンピュータ１から要求され、ステップＳ５３で送信するデータが電話番号ではなく、識別番号そのものである点が、図５における場合と異なっており、それ以外の処理は、図５における場合と同様となされている。
【００５４】
同様に、図６のパーソナルコンピュータ１のステップＳ３１乃至ステップＳ３７の処理は、図４に示すステップＳ１乃至ステップＳ６の処理と基本的に同様の処理である。但し、図６の処理においては、携帯電話機１１から電話番号が直接送信されてくるのではなく、識別番号が送信されてくるので、ステップＳ３４において、パーソナルコンピュータ１のCPU２１は、携帯電話機１１の識別番号をRAM２３に記憶させた後、ステップＳ３５において、携帯電話機１１の識別番号からそのネットワーク上のアドレスとしての電話番号を検索する処理を実行する。この検索のため、記憶部２６に、携帯電話機１１の識別番号と電話番号の対応表を予め記憶していておいても良いし、通信部２７から、例えば、インターネット等を介して所定のサーバにアクセスし、携帯電話機１１の識別番号に対応する電話番号をそのサーバを介して検索するようにしても良い。
【００５５】
携帯電話機１１の電話番号が検索された後の処理は、図４に示した場合と同様の処理となる。
【００５６】
次に、図４のステップＳ６（図６のステップＳ３７）と、図５のステップＳ１６（図７のステップＳ５６）で実行される処理の例についてさらに説明する。
【００５７】
図８は、携帯電話機１１を入力表示部２に載置、または近接することで、携帯電話機１１に登録されているメールの内容を入力表示部２のLCD３２上に拡大して、表示させる例を表している。
【００５８】
次に、この場合の携帯電話機１１とパーソナルコンピュータ１の処理について、図９と図１０のフローチャートを参照して説明する。
【００５９】
携帯電話機１１のCPU６１は、図９のステップＳ７１において、RAM６３に記憶されている、それまで受信されたメールの送信者と主題（サブジェクト）を読み出し、ステップＳ７２において、その読み出されたメールの送信者と主題をパーソナルコンピュータ１に送信させる。すなわち、このとき、CPU６１は、通信部６９を制御し、電話回線を介してパーソナルコンピュータ１に送信させる。
【００６０】
送信されたメールの送信者と主題は、後述するように、パーソナルコンピュータ１のLCD３２上に表示され、ユーザがその表示の中から所定のものを選択すると、その選択が携帯電話機１１に送信されてくる。
【００６１】
そこで、ステップＳ７３において、CPU６１は、メールが選択されたことが通知されるまで待機し、メールが選択されたことが通知されたとき、ステップＳ７４に進み、選択されたメールの内容をRAM６３から読み出し、通信部６９からパーソナルコンピュータ１に送信させる。
【００６２】
このような携帯電話機１１の処理に対応して、パーソナルコンピュータ１は、図１０のフローチャートに示す処理を実行する。
【００６３】
最初に、ステップＳ８１において、CPU２１は、携帯電話機１１からメールの送信者と主題が送信されてくると、これを受信する。すなわち、通信部２７は、携帯電話機１１の通信部６９から電話回線を介してメールの送信者と主題が送信されてくると、これを受信し、RAM２３に供給し、記憶させる。ステップＳ８２において、CPU２１は、RAM２３に記憶された送信者と主題を読み出し、LCD３２に出力し、表示させる。これにより、例えば、図８に示すように、携帯電話機１１から送信されてきたメールの送信者と主題がウィンドウ９１に表示される。
【００６４】
ユーザは、この表示を見てペンを操作することで、ウィンドウ９１内の１つのメールの送信者または主題を指定することで、メールを選択する。そこで、ステップＳ８３において、CPU２１は、メールが選択されるまで待機し、メールが選択されたとき、ステップＳ８４に進み、選択されたメールを携帯電話機１１に通知する。すなわち、このとき、CPU２１は、通信部２７を制御し、電話回線を介してユーザにより指定された（選択された）メールがどれであるのかを、携帯電話機１１に通知する。
【００６５】
選択されたメールを通知すると、上述したように、携帯電話機１１からその選択されたメールの内容が送信されてくるので、ステップＳ８５において、通信部２７は、携帯電話機１１から送信されてきたメールの内容を受信する。このメールの内容は、RAM２３に一旦供給され、記憶される。そして、ステップＳ８６において、CPU２１は、RAM２３に記憶されたメールの内容を読み出し、LCD３２の、携帯電話機１１が置かれた位置の右側、またはユーザがペンで指定した位置（これらの位置は、タブレット３１の出力から検知される）に、出力し、表示させる。このようにして、例えば、図８に示されるように、ウィンドウ９２に選択されたメールの内容が表示される。図８の例においては、ウィンドウ９１内の２番目のメール（送信者がBBBであり、主題がbbであるメール）の内容が、「今日は。今日はいい天気ですね。」と表示されている。
【００６６】
RFタグ７２とリーダライタ３３との間の通信により、メールのデータも授受することが理論的には可能である。しかしながら、この通信の伝送容量は小さいので、本発明では、この通信は、識別情報の伝送にだけ用いられる。
【００６７】
図１１は、パーソナルコンピュータ１と電話回線を介して授受されるデータの他の例を表している。この例においては、携帯電話機１１に替えて、PDA１０１が入力表示部２上に載置、または近接され、PDA１０１に記憶されている画像データが、パーソナルコンピュータ１側に転送される。
【００６８】
PDA１０１は、例えば、図１２に示されるように構成される。
【００６９】
CPU１１１乃至入出力インタフェース１１５は、図２のパーソナルコンピュータ１のCPU２１乃至入出力インタフェース２５と同様の機能を有するものである。
【００７０】
入力部１１６は、ボタン、スイッチ等により構成され、ユーザが所定の指令を入力するとき操作される。タブレット１２７は、透明な部材により構成され、図示せぬペン等をユーザが操作することで行われた入力を検知する。LCD１１８は、タブレット１１７の下側に配置され、文字、図形等を表示する。
【００７１】
メモリスティック（商標）１１９は、半導体メモリを内蔵しており、PDA１０１に対して着脱自在とされている。メモリスティック１１９には、テキストデータや画像データが適宜記憶される。通信部１２０は、電話回線を介して他の装置と通信する。
【００７２】
RFタグ１２１（ROM１１２、メモリスティック１１９でもよい）は、内部に、PDA１０１の電話番号（または識別番号）を記憶している。
【００７３】
次に図１３と図１４のフローチャートを参照して、図１１（Ａ）に示されるように、PDA１０１をパーソナルコンピュータ１の入力表示部２上に配置して行われる処理の例について説明する。
【００７４】
上述したように、PDA１０１をパーソナルコンピュータ１の入力表示部２上に載置すると、パーソナルコンピュータ１とPDA１０１との間の電話回線が閉結される。
【００７５】
PDA１０１のCPU１１１は、ユーザから画像の転送が指令されると、図１３のステップＳ１０１において、メモリスティック１１９に予め記憶されている１つの画像データを選択する。ステップＳ１０２において、CPU１１１は、選択した画像データを通信部１２０を制御し、電話回線を介してパーソナルコンピュータ１に送信させる。
【００７６】
ステップＳ１０３において、CPU１１１は、全ての画像データを送信したか否かを判定し、まだ送信していない画像データが残っている場合には、ステップＳ１０１に戻り、それ以降の処理を繰り返し実行する。
【００７７】
ステップＳ１０３において、全ての画像データが送信されたと判定された場合、処理は終了される。
【００７８】
一方、パーソナルコンピュータ１側においては、図１４のフローチャートに示す処理が実行される。CPU２１は、電話回線を介してPDA１０１から画像データが送信されてくると、ステップＳ１１１において、通信部２７を介してこれを受信し、RAM２３に供給し、一旦記憶させる。CPU２１は、ステップＳ１１２において、RAM２３に記憶された画像データを読み出し、LCD３２に出力し、表示させる。
【００７９】
このようにして、例えば、図１１（Ａ）に示されるように、PDA１０１に記憶されている５枚の画像Ｐ１乃至Ｐ５のうち、１枚の画像Ｐ１が、図１１（Ｂ）に示すように、PDA１０１からパーソナルコンピュータ１に転送され、RAM２３に記憶されるとともに、LCD３２に表示される。その表示位置は、図１１（Ｂ）の例の場合、PDA１０１の左上とされているが、ペンで指定された位置とすることもできる。このとき、PDA１０１側のLCD１１８においては、転送された画像の表示は消去される。図１１（Ｂ）の例においては、図１１（Ａ）に示される５枚の画像Ｐ１乃至Ｐ５のうち、１枚の画像Ｐ１が転送されたので、PDA１０１のLCD１１８には、４枚の画像Ｐ２乃至Ｐ５が表示された状態となっている。
【００８０】
次にステップＳ１１３において、CPU２１は、受信した全ての画像データが表示されたか否かを判定し、まだ表示していない画像データが残っている場合には、ステップＳ１１１に戻り、上述した処理を繰り返し実行する。全ての画像データを表示したと判定された場合、処理は終了される。
【００８１】
以上のようにして、図１１（Ｃ）乃至（Ｆ）に示されるように、画像データがＰ２，Ｐ３，Ｐ４，Ｐ５の順に、順次、PDA１０１からパーソナルコンピュータ１側に転送され、RAM２３に記憶される。LCD３２には、この転送に伴って、画像Ｐ２乃至Ｐ５が順次表示される。この表示に伴って、PDA１０１側のLCD１１８の画像は、転送済みのものが順次消去される。
【００８２】
図１５は、さらに、他の情報交換の例を表している。この例においては、パーソナルコンピュータが、ノート型のパーソナルコンピュータとされている。図２のパーソナルコンピュータ１のリーダライタ３３は、このパーソナルコンピュータ１５１では、パームレスト部１５２Ａの下方に配置されている。パーソナルコンピュータ１５１の内部の構成は、図２に示した場合と同様であるので、その新たな図示は省略する。
【００８３】
次に図１６と図１７のフローチャートを参照して、この場合のパーソナルコンピュータ１５１と携帯電話機１１の処理について説明する。なお、パーソナルコンピュータ１５１の構成として、図２のパーソナルコンピュータ１の構成をそのまま引用する。この場合においても、携帯電話機１１をパーソナルコンピュータ１５１のパームレスト部１５２Ａ上に配置すると、携帯電話機１１とパーソナルコンピュータ１５１との間における電話回線が、上述したようにして閉結される。
【００８４】
パーソナルコンピュータ１５１のCPU２１は、図１６のステップＳ１３１において、携帯電話機１１に対応する画像をLCD３２に表示させる。図１５の表示例においては、画像１６１が携帯電話機１１の画像として表示されている。なお、この画像１６１は、携帯電話機１１がパームレスト部１５２Ａの右側に配置されれば、LCD３２の右側に表示され、パームレスト部１５２Ａの左側に配置されれば、LCD３２の左側に表示される。
【００８５】
次に、ステップＳ１３２において、CPU２１は、パーソナルコンピュータ１を表す画像を、LCD３２に、例えば、図１５の画像１６２のように表示させる。
【００８６】
ステップＳ１３３において、CPU２１は、ユーザより情報の受け取りが指令されたか否かを判定し、指令されていないと判定した場合、ステップＳ１３４に進み、情報の転送が指示されたか否かを判定する。情報の転送も指示されていないと判定した場合、ステップＳ１３３に戻り、それ以降の処理が繰り返し実行される。
【００８７】
ステップＳ１３４において、情報の転送がユーザより指示されたと判定された場合、ステップＳ１３５に進み、CPU２１は、携帯電話機１１に情報を転送する処理を実行する。
【００８８】
例えば、図１５に示されるLCD３２上において、マウスカーソルを、矢印Ａの方向（パーソナルコンピュータ１５１の画像１６２から携帯電話機１１の画像１６１の方向）にドラッグ＆ドロップすることで、情報の転送が指示された場合、CPU２１は、RAM２３に記憶されている所定のデータを、通信部２７から電話回線を介して携帯電話機１１に転送させる。
【００８９】
一方、ステップＳ１３３において、情報の受け取りが指示されたと判定された場合、ステップＳ１３６に進み、CPU２１は、携帯電話機１１に情報の転送を要求する。
【００９０】
すなわち、図１５において、画像１６１から画像１６２の方向（矢印Ｂの方向）にドラッグ＆ドロップすることで、ユーザが携帯電話機１１からパーソナルコンピュータ１５１への情報の転送を指示した場合、CPU２１は、通信部２７を制御し、電話回線を介して携帯電話機１１に、情報の転送を要求する。
【００９１】
携帯電話機１１に対して情報の転送を要求すると、後述するように、携帯電話機１１から情報が転送されてくるので、ステップＳ１３７において、CPU２１は、情報が転送されてくるまで待機し、情報が転送されてきたとき、ステップＳ１３８に進み、通信部２７を介して転送された情報を受信し、RAM２３に記憶させる。
【００９２】
一方、携帯電話機１１は、以上のようなパーソナルコンピュータ１５１の動作に対応して、図１７のフローチャートに示されるような処理を実行する。
【００９３】
ステップＳ１５１において、CPU６１は、パーソナルコンピュータ１５１から情報の転送の要求を受けたか否か判定し、その要求を受けていない場合には、ステップＳ１５２に進み、パーソナルコンピュータ１５１から情報が転送されてきたか否かを判定する。情報が転送されてきていない場合には、ステップＳ１５１に戻り、それ以降の処理を繰り返し実行する。
【００９４】
ステップＳ１５１において、パーソナルコンピュータ１５１から情報の転送の要求を受けたと判定した場合、CPU６１は、ステップＳ１５３に進み、RAM６３に記憶されている情報を読み出し、通信部６９から電話回線を介してパーソナルコンピュータ１５１に転送する。
【００９５】
また、ステップＳ１５２において、パーソナルコンピュータ１５１から情報が転送されてきたと判定された場合、ステップＳ１５４に進み、CPU６１は、電話回線を介して通信部６９で受信した情報をRAM６３に供給し、記憶させる。
【００９６】
図１８は、コネクションボードの例を表している。コネクションボード１７１は、その上に２つの電子機器を載置すると、その２つの電子機器の間で電話回線が閉結され、電話回線を介してデータを授受することができるようにするものである。
【００９７】
図１８の例においては、PDA１０１とデジタルカメラ１８１が、コネクションボード１７１上に載置されている。
【００９８】
コネクションボード１７１は、例えば、図１９に示すように構成される。CPU１９１乃至入出力インタフェース１９５は、図２のCPU２１乃至入出力インタフェース２５と基本的に同様のものである。
【００９９】
リーダライタ１９６とリーダライタ１９７は、それぞれ２つの電子機器のRFタグとの間の通信を行う。通信部１９８は、電話回線を介して、２つの電子機器との間の通信を行う。
【０１００】
ドライブ１９９には、磁気ディスク２１１、光ディスク２１２、光磁気ディスク２１３、または半導体メモリ２１４が適宜装着され、そこに記憶されているプログラムが適宜読み出され、RAM１９３に転送され、記憶されるようになされている。
【０１０１】
図２０は、デジタルカメラ１８１の内部の構成例を表している。CPU２３１乃至入出力インタフェース２３５は、図２におけるCPU２１乃至入出力インタフェース２５と基本的に同様のものである。
【０１０２】
入力部２３６は、ボタン、スイッチ等により構成され、ユーザにより所定の指示を入力するとき操作される。LCD２３７は、撮像部２３９により撮像された画像あるいは、メモリスティック２３８やRAM２３３に記憶された画像を表示する。メモリスティック２３８は、デジタルカメラ１８１に対して着脱自在とされ、撮像部２３９により撮像された画像を記憶する。RFタグ２４１は、内部にデジタルカメラ１８１の識別番号として、電話番号を記憶している。このRFタグ２４１は、コネクションボード１７１のリーダライタ１９６との通信を行う。通信部２４０は、電話回線を介して通信する。
【０１０３】
最初に、図２１のフローチャートを参照して、コネクションボード１７１上に２つの電子機器（いまの場合、PDA１０１とデジタルカメラ１８１）を載置、または近接した場合のコネクションボード１７１のコネクション確立処理について説明する。
【０１０４】
ステップＳ１７１において、コネクションボード１７１のCPU１９１は、第１のPDAが載置、または近接されたか否か（リーダライタ１９６、またはリーダライタ１９７により電子機器のRFタグの電磁結合が検知されたか否か）が判定される。第１のPDAが載置、または近接されたと判定された場合、リーダライタ１９６，１９７のうち、対応するものは、そのPDAにネットワーク上のアドレスの送信を要求する。例えば、リーダライタ１９６は、PDA１０１が載置されたことを検知した場合、PDA１０１に対して、電話番号の送信を要求する。PDA１０１は、図５のフローチャートを参照して、携帯電話機１１の処理として説明した場合と同様の処理を実行するので、この要求に対応して、PDA１０１の電話番号を送信してくる。そこで、ステップＳ１７３において、コネクションボード１７１のCPU１９１は、電話回線を介してPDA１０１の電話番号が送信されてくるまで待機し、送信されてきたとき、ステップＳ１７４において、通信部１９８を介して受信したPDA１０１の電話番号をRAM１４３に供給し、記憶させる。
【０１０５】
以上のステップＳ１７１乃至ステップＳ１７４の処理と同様の処理が、リーダライタ１９６と１９７のうちの他方（いまの場合、リーダライタ１９７）において、ステップＳ１７５乃至ステップＳ１７８の処理として実行される。
【０１０６】
これにより、いまの場合、デジタルカメラ１８１のRFタグ２４１から読み出されたデジタルカメラ１８１の電話番号が、コネクションボード１７１のRAM１９３に供給され、記憶される。
【０１０７】
ステップＳ１７９において、コネクションボード１７１のCPU１９１は、ステップＳ１７４とステップＳ１７８で記憶したPDA１０１とデジタルカメラ１８１の間の電話回線のコネクションを確立する処理を実行する。これにより、PDA１０１と、デジタルカメラ１８１は、それぞれ電話回線を介して相互にデータを授受することが可能な状態となる。
【０１０８】
次にステップＳ１８０において、コネクションボード１７１のCPU１９１は、載置、または近接された２つのPDAとしてのPDA１０１とデジタルカメラ１９１が載置、または近接されたままの状態となっているか否かを判定し、載置、または近接された状態であるとき、ステップＳ１８１に進み、ステップＳ１７９で確立したコネクションを維持する処理を実行する。
【０１０９】
その後、処理をステップＳ１８０に戻り、PDA１０１とデジタルカメラ１８１がコネクッションボード１７１上に載置、または近接されている限り、PDA１０１とデジタルカメラ１８１のコネクションが維持される。
【０１１０】
ユーザが、PDA１０１またはデジタルカメラ１８１のうちの、少なくとも一方をコネクションボード１７１から取り上げると、ステップＳ１８０において、２つの装置のうちのいずれかの一方が載置等されていないと判定され、ステップＳ１８２に進み、CPU１９１は、ステップＳ１７９で確立したコネクションを切断する処理を実行する。これにより、以後、PDA１０１とデジタルカメラ１８１は、電話回線を介して、通信ができない状態となる。
【０１１１】
次に、図２２と図２３のフローチャートを参照して、PDA１０１とデジタルカメラ１８１をコネクションボード１７１上に載置、または近接した場合における両者の間の処理の例について説明する。
【０１１２】
PDA１０１のCPU１１１は、図２２のステップＳ２０１において、ユーザから情報の受け取りが指示されたか否かを判定し、指示されていない場合には、ステップＳ２０２に進み、情報の転送が指示されたか否かを判定する。情報の転送も指示されていない場合には、ステップＳ２０１に戻り、それ以降の処理が繰り返し実行される。
【０１１３】
ステップＳ２０２において、ユーザから情報の転送が指示されたと判定された場合、ステップＳ２０６に進み、CPU１１１は、メモリスティック１１９に記憶されているデータを読み出し、通信部１２０から電話回線を介してデジタルカメラ１８１に転送する処理を実行する。
【０１１４】
すなわち、CPU１１１は、例えば、図１８に矢印Ｃで示される方向に、ユーザによりタブレット１１７に対して入力が行われたとき、PDA１０１からデジタルカメラ１８１にデータを転送する指示であると判定し、上記した処理を実行する。
【０１１５】
一方、ステップＳ２０１において、CPU１１１は、情報の受け取りが指示されたと判定された場合、ステップＳ２０３に進み、デジタルカメラ１８１に対して情報の転送を要求する。後述するように、デジタルカメラ１８１は、この要求を受けたとき、情報を転送してくるので、ステップＳ２０４において、CPU１１１は、情報が転送されてくるまで待機し、情報が転送されてきたとき、ステップＳ２０５において、電話回線を介して転送されてきた情報を通信部１２０で受信すると、これをメモリスティック１１９に供給し、記憶させる。
【０１１６】
このような処理は、図１８の矢印Ｄで示すように、デジタルカメラ１８１からPDA１０１の方向にタブレット１１７上において、ユーザがペンを操作した場合に、実行される。
【０１１７】
次に、図２３のフローチャートを参照して、デジタルカメラ１８１の処理について説明する。
【０１１８】
ステップＳ２２１において、デジタルカメラ１８１のCPU２３１は、PDA１０１から情報の転送の要求を受けたか否かを判定し、情報の転送の要求を受けていない場合には、ステップＳ２２２に進み、PDA１０１から情報が転送されてきたか否かを判定し、転送されてきていない場合には、ステップＳ２２１に戻り、それ以降の処理を繰り返し実行する。
【０１１９】
ステップＳ２２１において、PDAから情報の転送の要求を受けたと判定した場合、ステップＳ２２３に進み、CPU２３１は、メモリスティック２３８に記憶されている画像データを読み出し、通信部２４０から電話回線を介して、PDA１０１に対して転送させる。
【０１２０】
一方、ステップＳ２２２において、PDA１０１から情報が転送されてきたと判定された場合、ステップＳ２２４に進み、CPU２３１は、電話回線を介して通信部２４０で受信した情報を、メモリスティック２３８に供給し、記憶させる。
【０１２１】
以上のように、この例においては、コネクションボード１７１上に載置、または近接されている状態において、２つの電子機器が情報を授受することが可能となる。従って、同一面上に位置する２つの電子機器間でのみ情報の移動を許容するというセキュリティ管理をユーザが行うようにすることで、直感的かつ安全に、各ユーザは、情報を管理することが可能となる。
【０１２２】
図２４は、さらに他の実施の形態を表している。この実施の形態においては、ユーザの人体を介して識別番号を授受するようになされている。すなわち、この例においては、ユーザがヘッドホン２６１を、その頭部に装着し、手で携帯電話機１１を保持している。そして、ヘッドホン２６１と携帯電話機１１との間における識別番号の授受が、ユーザの人体２６０を介して行われる。
【０１２３】
ヘッドホン２６１は、例えば、図２５に示すように構成される。CPU２７１乃至入出力インタフェース２７５は、図２におけるCPU２１乃至入出力インタフェース２５と基本的に同様のものである。
【０１２４】
入力部２７６は、ヘッドホン２６１の使用を開始したり、使用を終了させるとき、ユーザにより操作される。スピーカ２７７は、通信部２７９を介して受信された音声信号を出力する。通信部２７８は、人体２６０を介して、携帯電話機１１との通信を行う。通信部２７９は、電話回線を介しての無線通信を行う。
【０１２５】
携帯電話機１１の構成は、基本的に図３に示した場合と同様であるが、この例においては、図２６に示されるように、図３におけるRFタグ７２に代えて、通信部２９１が設けられている。この通信部２９１は、ヘッドホン２６１の通信部２７８と人体２６０を介して通信を行う。
【０１２６】
携帯電話機１１のその他の構成は、図３における場合と同様である。
【０１２７】
次に、図２７のフローチャートを参照して、図２４の例における携帯電話機１１の処理について説明する。
【０１２８】
ステップＳ２４１において、携帯電話機１１のCPU６１は、通信部２９１により、人体２６０を介してヘッドホン２６１の通信部２７８と通信することにより、ヘッドホン２６１が検出されたか否かを判定し、検出されていない場合には、検出されるまで待機する。この検出処理は、例えば、通信部２９１から定期的に応答を要求する信号を出力し、その要求に対応する応答があるか否かに基づいて判定することができる。
【０１２９】
ヘッドホン２６１が検出された（応答があった）と、ステップＳ２４１において判定された場合、ステップＳ２４２に進み、CPU６１は、ヘッドホン２６１に、そのネットワーク上のアドレスの送信を要求する。図２８のフローチャートを参照して後述するように、ヘッドホン２６１は、この要求に対応して、ステップＳ２６６において、そのネットワーク上のアドレスを送信してくる。
【０１３０】
そこで、ステップＳ２４３において、携帯電話機１１のCPU６１は、ヘッドホン２６１からネットワーク上のアドレスを通信部２９１を介して受信するまで待機し、受信したときステップＳ２４４に進み、受信したヘッドホン２６１のネットワーク上のアドレスを、記憶部６８に供給し記憶させる。
【０１３１】
次に、ステップＳ２４５に進み、CPU６１は、ヘッドホン２６１からネットワーク上のアドレスの送信を要求されるまで待機し、その要求を受けたとき、ステップＳ２４６に進み、記憶部６８に予め記憶されている携帯電話機１１のネットワーク上のアドレスを、通信部２９１を介してヘッドホン２６１に送信する。このネットワーク上のアドレスは、人体２６０を介して、ヘッドホン２６１に送信される。
【０１３２】
ステップＳ２４７において、CPU６１は、ヘッドホン２６１とネットワーク上のコネクションを確立したか否かを判定し、コネクションがまだ確立されていない場合には、ステップＳ２４８に進み、ステップＳ２４４で記憶したヘッドホン２６１のネットワーク上のアドレスにアクセスし、ネットワーク上のコネクションを確立する。具体的には、CPU６１は、通信部６９を制御し、ステップＳ２４４の処理で記憶したヘッドホン２６１のネットワーク上のアドレスとしての電話番号に対して発呼動作を行わせ、電話回線を閉結させる。
【０１３３】
ステップＳ２４７において、コネクションが既に確立されていると判定された場合、ステップＳ２４８の処理はスキップされる。
【０１３４】
次に、ステップＳ２４９において、携帯電話機１１のCPU６１は、通信部６９により閉結された電話回線を介して、ヘッドホン２６１と所定の処理を実行する。
【０１３５】
このような携帯電話機１１の動作に対応して、ヘッドホン２６１は、図２８のフローチャートに示す処理を実行する。そのステップＳ２６１乃至ステップＳ２６９の処理は、相手側が異なるだけで、基本的に、図２７の携帯電話機１１のステップＳ２４１乃至ステップＳ２４９の処理と同様の処理となる。
【０１３６】
ステップＳ２６７において、ヘッドホン２６１側でも、携帯電話機１１とネットワーク上のコネクションが確立されているか否かが判定される。例えば、上述した携帯電話機１１のステップＳ２４８の処理により、既に携帯電話機１１との電話回線が閉結されている場合には、ステップＳ２６８の処理はスキップされる。
【０１３７】
換言すれば、携帯電話機１１のステップＳ２４８の処理は、ヘッドホン２６１側からの処理により、既に電話回線が閉結されている場合には、スキップされることになる。
【０１３８】
この例においては、以上のようにして、携帯電話機１１とヘッドホン２６１のそれぞれが、相手側の識別番号を取得する。そして、その識別番号に基づいて、一方から他方に、電話回線を介してのコネクションが確立される。
【０１３９】
従って、例えば、ヘッドホン２６１を装着した状態で、ユーザが携帯電話機１１を利用して、所定の音楽配信サーバにアクセスし、音楽配信を受けた場合において、配信を受けた音楽を、携帯電話機１１とヘッドホン２６１との間に閉結されている電話回線を介して、携帯電話機１１からヘッドホン２６１に送信させるようにすることで、ユーザが携帯電話機１１から手を離しても、ヘッドホン２６１で音楽を聞くことが可能となる。
【０１４０】
あるいはまた、ヘッドホン２６１にマイクロホンを装着させ、携帯電話機１１により、所定の相手先に電話をかけたような場合において、相手側が応答したときは、以後、ユーザは、携帯電話機１１を手から離した場合においても、ヘッドホン２６１だけを用いて相手側と通話することが可能となる。
【０１４１】
さらに、例えば、上述したパーソナルコンピュータ１の本体側と、それに利用されるマウスのそれぞれに、ユーザの人体２６０を介して通信可能な通信部を設けることにより、ユーザがマウスと本体とを同時に手で触ることにより、相互の間の識別番号を授受させ、それに基づいて、それらの間に電話回線を閉結させ、以後、ユーザが本体から手を離してマウスを操作して、本体１にマウスの操作に対応する信号を送信することが可能となる。
【０１４２】
人体の交流信号の伝達特性が図２９に示されている。図２９（Ａ）は、１MHz乃至２０MHzの範囲で、図２９（Ｂ）は、１MHz乃至３０MHzの範囲で、それぞれスペクトラム・アナライザを用いて測定した人体の伝送特性（両手間）を示した特定図である。いずれも、トラッキング・ジェネレータと入力端子に同軸ケーブルを接続した場合の例である。なお、実験時、同軸ケーブルのグランドGNDは相互に接続し、アンテナとならないようにした。図２９（Ａ）および図２９（Ｂ）に示すように、１MHzから２０MHz程度の範囲における伝達特性は、概ね平坦で、３０dB乃至４０dBの減衰特性となる。
【０１４３】
図２９（Ａ）および図２９（Ｂ）に示す測定では、トラッキング・ジェネレータの出力インピーダンス、スペクトル・アナライザの入力インピーダンスともに７５Ωである。従って、交流的にも両手間のインピーダンスが仮に１メガ・オームであったとすると、減衰量は−８０dBにも達するはずである。ところが、実際には、減衰量は遙かに少なく、人体を介しての信号伝送の可能性を裏付けることが分かる。
【０１４４】
データ送信側は、微小ダイポール・アンテナと考えられ、これが発生する電磁界の様子は充分解析されている。かかる解析結果によれば、人体が発生する電磁界は、微小ダイポール・アンテナが発生する電磁界となる。電磁界の強さはアンテナからの距離Ｒ、距離Ｒの２乗、距離Ｒの３乗に反比例する成分のベクトル和で表され、それぞれ、輻射電磁界、誘導電磁界、静電磁界と呼ばれる。なお、これらの関係式については、特開平７−１７０２１５号公報に詳しく記載されている。
【０１４５】
図３０は電界強度についての図であり、図３０（Ａ）は、上述した各項の電界強度とアンテナからの距離との関係を示す特性図である。また、図３０（Ｂ）は、周波数ｆ＝２００MHz、送信端子電圧＝１００dBμV（７５Ω）の場合において、λ／２．２のダイポール・アンテナと３．４cmφのループ・アンテナ、および８cmφ，３．４cmφのループ・アンテナの電界強度と距離とを示す図である。図３０（Ａ）および（Ｂ）に示すように、上記輻射電磁界（１／Ｒ項）、誘導電磁界（１／（Ｒの２乗）項）、静電磁界（１／（Ｒの３乗）項）の強度は、λ／２πの距離において等しくなり、距離がこれ以下の場合には急激に増加する。ｆ＝１１MHzならば、この距離は４．３ｍとなる。従って、静電磁界を主として使用した伝送方式を適用することが好ましい。
【０１４６】
また、電界強度は、電波障害すなわちEMI（ElectroMagnetic Interference）に関する法規制による制限なく使用可能な範囲を選択することが好ましく、例えば、周波数３３２MHz以下、電界強度５００μＶ／Ｍ以下とする。
【０１４７】
上述のように静電磁界は距離Ｒの３乗で減衰する。例えば、距離が１ｍから３ｍになると、電界強度は１／２７（＝１／（３×３×３））に減衰する。従って、データ送信手段からの距離の増加に伴って信号強度が極端に減衰するので、複数のユーザが同様の装置を使用している場合であっても他のユーザの信号をノイズとしてとらえる可能性は低くなる。例えば、同様の装置を持ったユーザが多数近接して存在するような作業環境下においても、静電磁界を主として使用した通信は良好な通信が可能になる。
【０１４８】
なお、携帯電話機１１やヘッドホン２６１の通信部２９１，２７８の一部を構成する人体２６０と接触する接点は、広い面積を有することが望ましい。例えば、腕時計、ネックレス、指輪、ブレスレット、ベルト、靴等、曲線状に人体の指、腕、首等に巻き付け可能な構成として、人体の皮膚とより多くの面積で接触する構成とすることが好ましい。
【０１４９】
以上においては、RFタグとリーダライタにより識別番号を授受するようにしたが、各電子機器にバーコードを印刷し、そのバーコードを読み取ることで、識別番号を授受するようにすることも可能である。
【０１５０】
また、電子機器を載置する情報処理装置としては、入力表示部やノート型パーソナルコンピュータのパームレスト部以外に、マウスパットやホワイトボードを利用することも可能である。
【０１５１】
さらに、識別番号としては、電話番号を例として説明したが、ネットワーク上でその電子機器にアクセスするために必要なものであれば、電話番号以外でも良い。
【０１５２】
また、識別番号の授受にともなって、相手側の認証処理を行うようにしてもよい。
【０１５３】
以上においては、ネットワークとして、電話回線を例として説明したが、LAN、無線LAN、WAN、インターネット、或いは、様々なポータブル機器等に適用可能なブルートゥース（Bluetooth）を利用することも可能である。
【０１５４】
次に、RFタグとリーダライタにより相互に各種の情報を授受し、取得した情報に基づいてブルートゥースによる通信を確立する通信システムについて説明する。
【０１５５】
この通信システムは、例えば、図１に示した情報処理システムと同様に構成され、図１に示すパーソナルコンピュータ１と携帯電話機１１は、それぞれ、リーダライタ３３とRFタグ７２により各種の情報を送受信した後、それに基づいてブルートゥースによる通信を行う。すなわち、パーソナルコンピュータ１と携帯電話機１１の双方には、ブルートゥースモジュールが内蔵されている。
【０１５６】
図３１は、ブルートゥースモジュールを内蔵するパーソナルコンピュータ１の構成例を示すブロック図である。
【０１５７】
図３１に示すパーソナルコンピュータ１は、図２に示したパーソナルコンピュータ１と基本的に同様の構成であり、ブルートゥースモジュール３０１がさらに設けられている点、および、後述するように、リーダライタ３３が、自らに設定されている識別情報を電磁波により携帯電話機１１に通知する点が、図２に示したパーソナルコンピュータ１と相違している。
【０１５８】
ブルートゥースモジュール３０１は、例えば、携帯電話機１１に設けられているブルートゥースモジュール３１１（図３２参照）とブルートゥースにより通信する。
【０１５９】
ブルートゥースは、Bluetooth SIG(Special Interest Group)により標準化されている無線通信規格であり、２．４GHz帯（IMS(Industrial Science Medical)帯）を使用して、ブルートゥースモジュールが設けられている他のデバイス（適宜、ブルートゥースデバイスと称する）と通信する。
【０１６０】
そして、ブルートゥースによって構築されるネットワークは、その形態に応じて、ピコネット(piconet)、または複数のピコネットが相互接続されたスカッタネット(scatternet)と呼ばれ、そこには、マスタとスレーブと呼ばれる役割を有するブルートゥースデバイスが存在する。以下、適宜、マスタの役割を有するブルートゥースデバイスを単にマスタと、スレーブの役割を有するブルートゥースを単にスレーブとそれぞれ称する。
【０１６１】
マスタは、スレーブと通信を開始するとき、所定の周期でスレーブを検出するための電波を輻射し、それに対する応答がスレーブからされたとき、スレーブから通知される各種の情報に基づいてスレーブのブルートゥースデバイスを特定し、通信を開始する。スレーブからマスタに通知される情報には、それぞれのブルートゥースデバイス（モジュール）に対して固有のブルートゥースアドレスが含まれており、マスタは、このブルートゥースアドレスに基づいて、通信するスレーブを特定する。
【０１６２】
すなわち、図３１のブルートゥースモジュール３０１にも、固有のブルートゥースアドレスが設定されており、この通信システムの例においては、リーダライタ３３の識別情報（ID）と同一とされている。すなわち、図３１に示すように、リーダライタ３３の識別情報は識別情報Ａとされ、ブルートゥースモジュール３０１のアドレスはブルートゥースアドレスＡとされている。
【０１６３】
図３２に示す携帯電話機１１は、図３に示した携帯電話機１１と基本的に同様の構成を有しており、ブルートゥースデバイス３１１が設けられている点、およびRFタグ７２がリーダライタ３３に対して、電話番号を通知するのではなく、自らの識別情報を通知する点が異なっている。
【０１６４】
この携帯電話機１１においては、RFタグ７２の識別情報は識別情報Ｂとされ、ブルートゥースモジュール３１１のアドレスはブルートゥースアドレスＢとされている。なお、RFタグ７２の識別情報とブルートゥースモジュール３１１のアドレスは、必ずしも同一である必要はなく、識別情報にアドレスが含まれていればよい。
【０１６５】
RFタグ７２は、リーダライタ３３が輻射する電磁波を受信したとき、それに応じて識別情報Ｂを通知する。そして、パーソナルコンピュータ１のブルートゥースモジュール３０１においては、リーダライタ３３により取得された識別情報Ｂに基づいて、同一のブルートゥースアドレス（ブルートゥースアドレスＢ）を有しているブルートゥースデバイスが検索され、携帯電話機１１のブルートゥースモジュール３１１との通信が確立される。
【０１６６】
パーソナルコンピュータ１のブルートゥースモジュール３０１と、携帯電話機１１のブルートゥースモジュール３１１との間で行われる通信の確立処理について、図３３のフローチャートを参照して説明する。なお、図３３の処理においては、パーソナルコンピュータ１がマスタとされ、携帯電話機１１がスレーブとされている。
【０１６７】
ステップＳ３１１において、リーダライタ３３は、携帯電話機１１を含む、RFタグが設けられた端末を検出するための電磁波を輻射する。この電磁波は、図４等を参照して説明したように、充分短い周期で定期的に輻射されているものである。
【０１６８】
携帯電話機１１のRFタグ７２は、ステップＳ３２１で、この電磁波を受信したとき、ステップＳ３２２に進み、予め設定されている識別情報Ｂをリーダライタ３３に通知する。このRFタグ７２の識別情報（識別情報Ｂ）は、ブルートゥースモジュール３１１のアドレス（ブルートゥースアドレスＢ）と同一とされている。
【０１６９】
ステップＳ３１２において、リーダライタ３３は、RFタグ７２から通知されてきた識別情報（ブルートゥースアドレス）を受信し、ステップＳ３１３に進み、それをブルートゥースモジュール３０１に入出力インタフェース２５を介して通知する。
【０１７０】
ブルートゥースモジュール３０１は、ステップＳ３０１において、リーダライタ３３からの通知を受けたとき、ステップＳ３０２に進み、取得したブルートゥースアドレスに基づいて、そのアドレスを有するブルートゥースデバイスを検索し、そのデバイスに対して接続を要求する（通信を開始することを要求する）。
【０１７１】
そして、携帯電話機１１のブルートゥースモジュール３１１は、ステップＳ３３１で、ブルートゥースモジュール３０１からの要求を受けたとき、ステップＳ３３２に進み、接続を要求してきたブルートゥースデバイスであるパーソナルコンピュータ１（ブルートゥースモジュール３０１）と通信を開始する。
【０１７２】
具体的には、通信を行うための同期処理、および認証処理等の各種の処理が行われた後に、パーソナルコンピュータ１と携帯電話機１１との間で通信が確立され、ステップＳ３０３以降の処理、およびステップＳ３３２以降の処理において、ブルートゥースにより各種の情報が送受信される。
【０１７３】
以上においては、パーソナルコンピュータ１をマスタとし、携帯電話機１１をスレーブとした場合について説明したが、当然、双方が逆の役割を有するようにしてもよい。また、リーダライタが携帯電話機１１にも設けられている場合、携帯電話機１１がパーソナルコンピュータ１の存在を検出し、パーソナルコンピュータ１のRFタグから通知された識別情報に基づいて、ブルートゥースによる通信を確立させるようにしてもよい。
【０１７４】
なお、RFタグとリーダライタとの通信によりブルートゥースアドレスを取得し、それに基づいてブルートゥースによる通信を確立する通信システムは、上述したようなパーソナルコンピュータ１と携帯電話機１１との間だけでなく、様々な機器間においても適用可能である。
【０１７５】
例えば、携帯電話機やPDAなどの携帯端末と、テレビジョン受像機、カーナビゲーション、自動販売機、ATM(automatic teller machine)などの装置間でも、上述したようなブルートゥースによる通信を行うことができる。この場合、携帯電話機やPDAには、ブルートゥースモジュールとRFタグが少なくとも設けられていればよく、テレビジョン受像機、カーナビゲーション、自動販売機、ATMには、それぞれ、ブルートゥースモジュールと、RFタグのリーダライタが少なくとも設けられていればよい。
【０１７６】
また、いずれか一方がリーダライタを有していれば、携帯電話機同士の通信、PDA同士の通信、PDAとデジタルカメラとの通信、PDAとデジタルビデオカメラとの通信などにも、本発明は適用することができる。
【０１７７】
さらに、以上においては、パーソナルコンピュータ１は、RFタグ７２から通知された識別情報に基づいて、通信する機器を特定するとしたが、固有の識別情報であれば、いずれの情報を利用するようにしてもよい。
【０１７８】
例えば、１２８ビットからなるIPv6(Internet Protocol version 6)がそれぞれの機器に割り振られている場合、マスタであるパーソナルコンピュータ１は、RFタグ７２から通知されたその識別情報に基づいて、通信する機器を特定することができる。
【０１７９】
上述した一連の処理は、ソフトウエアにより実行させることができる。この場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１８０】
この記録媒体は、図２および図１９に示すように、装置本体とは別に、ユーザにプログラムを提供するために配布される、プログラムが記録されている磁気ディスク４１，２１１（フロッピディスクを含む）、光ディスク４２，２１２（CD-ROM(Compact Disk-Read Only Memory),DVD(Digital Versatile Disk)を含む）、光磁気ディスク４３，２１３（ＭＤ（Mini-Disk）を含む）、もしくは半導体メモリ４４，２１４などよりなるパッケージメディアにより構成されるだけでなく、装置本体に予め組み込まれた状態でユーザに提供される、プログラムが記録されているROM２２，１９２や、記憶部２６に含まれるハードディスクなどで構成される。
【０１８１】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１８２】
また、本明細書において、システムとは、複数の装置により構成される装置全体を表すものである。
【符号の説明】
【０１８３】
１  パーソナルコンピュータ，  ２  入力表示部，  １１  携帯電話機，  ３１  タブレット，  ３２  LCD，  ３３  リーダライタ，  ７２  RFタグ
【図１】
2011193474.tif 000003
【図２】
2011193474.tif 000004
【図３】
2011193474.tif 000005
【図４】
2011193474.tif 000006
【図５】
2011193474.tif 000007
【図６】
2011193474.tif 000008
【図７】
2011193474.tif 000009
【図８】
2011193474.tif 000010
【図９】
2011193474.tif 000011
【図１０】
2011193474.tif 000012
【図１１】
2011193474.tif 000013
【図１２】
2011193474.tif 000014
【図１３】
2011193474.tif 000015
【図１４】
2011193474.tif 000016
【図１５】
2011193474.tif 000017
【図１６】
2011193474.tif 000018
【図１７】
2011193474.tif 000019
【図１８】
2011193474.tif 000020
【図１９】
2011193474.tif 000021
【図２０】
2011193474.tif 000022
【図２１】
2011193474.tif 000023
【図２２】
2011193474.tif 000024
【図２３】
2011193474.tif 000025
【図２４】
2011193474.tif 000026
【図２５】
2011193474.tif 000027
【図２６】
2011193474.tif 000028
【図２７】
2011193474.tif 000029
【図２８】
2011193474.tif 000030
【図２９】
2011193474.tif 000031
【図３０】
2011193474.tif 000032
【図３１】
2011193474.tif 000033
【図３２】
2011193474.tif 000034
【図３３】
2011193474.tif 000035